(57)【特許請求の範囲】
【請求項１】
前面側に入賞領域が形成された遊技盤の後面側に、該入賞領域に入賞した遊技球を所定方向に流下案内する遊技球流路が形成された裏面構成部材を備えるとともに該裏面構成部材の後方に電気的制御装置を配設した遊技機において、
前記裏面構成部材は、
前記遊技盤の後面に取り付けられ、前方開口の凹形状を有する本体部材と、
前記本体部材の凹部の内部に収納されるとともに、前記遊技球流路が形成された流路構成部材と、
を備え、
前記本体部材をその前後幅が前記流路構成部材における遊技球流路の前後幅よりも大きくなるように後方側に膨出形成するとともに複数種の遊技機で共通的に使用可能に構成し、一方、前記流路構成部材を遊技機別に選択的に交換可能に構成し、
前記流路構成部材は、
複数の入賞領域から入賞した遊技球を個別に流下案内する複数の第１遊技球流路が形成され、該各遊技球流路に遊技球を検出する検出器を備えた第１流路構成部材と、
前記複数の入賞領域とは異なる複数の入賞領域から入賞した遊技球を個別に流下案内する複数の第２遊技球流路が形成されるとともに前記複数の第２遊技球流路の下流側に当該各第２遊技球流路からの遊技球を集合させて一条の排出部から排出する集合流路が形成され、該排出部に前記集合された遊技球を検出する検出器を備えた第２流路構成部材と、
を含んでいることを特徴とする遊技機。
【請求項２】
前記裏面構成部材の背面であって前記電気的制御装置の前方に、中継基板を取り付けるための中継基板取付部材を配設し、
前記中継基板取付部材は、前記中継基板を取り付けるための取付面を前記裏面構成部材の背面から後方側に所定距離を有する位置に設定したことを特徴とする請求項１に記載の遊技機。
【請求項３】
前記第２流路構成部材は、前記複数の遊技球流路の各々に当該遊技機の検査時において検出器を取り付けるための検出器取付部を形成したことを特徴とする請求項１または請求項２に記載の遊技機。
【請求項４】
前記本体部材には、前記遊技盤に配設された変動入賞装置の後方を覆うカバー部を更に一段膨出した状態で形成し、
前記カバー部の内側に前記変動入賞装置に入賞した遊技球を流下案内する排出流路の一部を構成する部分流路構成部材を備え、
前記部分流路構成部材は、前記排出流路の一部を構成する流路構成部の後方に当該部分流路構成部材と前記カバー部との間の空間を無くす延在部を形成して、前記排出流路を前記遊技球流路の同じ前後位置に配設するようにしたことを特徴とする請求項１から請求項３の何れか一項に記載の遊技機。
【発明の詳細な説明】
【技術分野】
【０００１】
本発明は、遊技盤の後面側に、入賞領域に入賞した遊技球を流下案内する遊技球流路が形成された裏面構成部材を備えるとともに、該裏面構成部材の後方に電気的制御装置を配設した遊技機に関する。
【背景技術】
【０００２】
従来、入賞領域が形成される遊技盤の後面側には、該入賞領域に入賞した遊技球を流下案内する遊技球流路や、発光部材等を取り付けるための裏面構成部材が備えられている。
近年の遊技機は、大当り状態を発生させるためのゲームを液晶表示装置等の画像表示装置で実行するものが多く、この画像表示装置を遊技盤に配設する際には、遊技盤の後面に配設された裏面構成部材に取り付けて、センターケースに形成された表示窓部から画像表示部が前方に臨むように構成されていた。
【０００３】
遊技盤は、遊技機の種類に応じて入賞領域の位置や個数が変化することとなることから、遊技機の種類別に比較的大型の裏面構成部材を新たに設計する必要があり、コスト高、大量生産できない、在庫が持てない等の種々の問題があった。
そこで、画像表示装置等を取り付ける上部の部分と、入賞球流路が形成された下部の部分（始動入賞口を覆う部分）とを分割構成することで、入賞球流路が変化する下部の部分のみを機種毎に作成して、上部の部分は複数の機種で共通使用できるようにした裏面構成部材（入賞球案内部材）も考えられている（例えば、特許文献１参照）。
【０００４】
一方、遊技盤における裏面構成部材の背面には、制御装置が備えられる場合が多く、制御装置として例えば遊技制御装置を遊技盤の背面に備えるようにして、遊技盤の交換の際に制御装置も同時に交換できるようにした遊技機も考えられている。しかしながら、制御装置を遊技盤の背面に取り付けた場合に、制御装置で遊技盤の裏面が隠されることから、この裏面構成部材と制御装置の間に、不正部材として、例えば、所謂ぶら下がり基板、すなわち裏面構成部材で覆われた始動入賞口のセンサから制御装置間に接続されるリード線を中継することで始動入賞タイミングを意図的に変化させるような基板等を取り付けられてしまう可能性があるといった課題がある。そのため、制御装置を取り外さなくてもその前面や制御装置の背面を確認できるようにした遊技機も考えられている（例えば、特許文献２参照）。
【特許文献１】特開平９−１３１４４０号公報
【特許文献２】特開２００５−２６１６９６号公報
【発明の開示】
【発明が解決しようとする課題】
【０００５】
しかしながら、上記したように裏面構成部材を共通部分と非共通部分とに分離構成しても、遊技盤の入賞領域は遊技領域の比較的広範囲に配置していることから、これらの入賞領域全てを覆うようにしなければならず機種毎に交換する部分でも比較的大型となり、上記課題を完全に解消するには到らない。
また、裏面構成部材と制御装置との間に不正部材が隠されているか否かを確認できるように構成しても、不正部材の発見は容易となるが、不正部材が取り付けられてしまうという根本的な課題を解決していない。
【０００６】
本発明の目的は、遊技盤の後面側に、入賞領域に入賞した遊技球を流下案内する遊技球流路が形成された裏面構成部材を備えるとともに、該裏面構成部材の後方に電気的制御装置を配設した遊技機において、不正部材が取り付けられることを防止することである。
【課題を解決するための手段】
【０００７】
以上の課題を解決するため、請求項１に記載の発明は、前面側に入賞領域が形成された遊技盤の後面側に、該入賞領域に入賞した遊技球を所定方向に流下案内する遊技球流路が形成された裏面構成部材を備えるとともに該裏面構成部材の後方に電気的制御装置を配設した遊技機において、
前記裏面構成部材は、
前記遊技盤の後面に取り付けられ、前方開口の凹形状を有する本体部材と、
前記本体部材の凹部の内部に収納されるとともに、前記遊技球流路が形成された流路構成部材と、
を備え、
前記本体部材をその前後幅が前記流路構成部材における遊技球流路の前後幅よりも大きくなるように後方側に膨出形成するとともに複数種の遊技機で共通的に使用可能に構成し、一方、前記流路構成部材を遊技機別に選択的に交換可能に構成し、
前記流路構成部材は、
複数の入賞領域から入賞した遊技球を個別に流下案内する複数の第１遊技球流路が形成され、該各遊技球流路に遊技球を検出する検出器を備えた第１流路構成部材と、
前記複数の入賞領域とは異なる複数の入賞領域から入賞した遊技球を個別に流下案内する複数の第２遊技球流路が形成されるとともに前記複数の第２遊技球流路の下流側に当該各第２遊技球流路からの遊技球を集合させて一条の排出部から排出する集合流路が形成され、該排出部に前記集合された遊技球を検出する検出器を備えた第２流路構成部材と、
を含んでいることを特徴とする。
【０００８】
請求項１に記載の発明によれば、裏面構成部材が後方に膨出した形状となり、電気的制御装置を取付作業などに支障が生ずるほど前方に取り付けなくても裏面構成部材と電気的制御装置との間の隙間を無くすことができ、その隙間に不正部材が取り付けられることを防止できる。
また、裏面構成部材は、ベースとなる本体部材を各機種で共通に使用できるようにして、比較的小型の流路構成部材だけを機種毎に交換できるように構成したので、流路構成部材だけを機種に応じて設計変更すればよく、その製作の手間を省ける。さらに、本体部材を大量生産してコストを低減することができる上、流路構成部材の小型化により成型用金型を小型化することができる。
【０００９】
また、流路構成部材は、異なる入賞領域から入賞した遊技球を個別に流下案内する複数の遊技球流路を形成するようにしたので、複数の流路を機種毎に正確に形成することが可能となる。
また、各一般入賞口に入賞した遊技球を別々に検出でき、入賞口ごとの入賞数を計数できる。
【００１０】
また、複数の遊技球流路の下流側に各遊技球流路からの遊技球を集合させて一条の排出部から排出する集合流路を形成し、排出部に遊技球を検出する検出器を備えるので、各入賞領域に入賞した遊技球の全てを確実に検出することができる。
【００１１】
請求項２に記載の発明は、請求項１に記載の遊技機であって、前記裏面構成部材の背面であって前記電気的制御装置の前方に、中継基板を取り付けるための中継基板取付部材を配設し、
前記中継基板取付部材は、前記中継基板を取り付けるための取付面を前記裏面構成部材の背面から後方側に所定距離を有する位置に設定したことを特徴とする。
【００１２】
ここで、「所定距離を有する位置に設定」とは、取付面を有する板状の取付板部を裏面構成部材の背面から所定間隔を設けた位置に取り付けるものの他、肉厚の部材の一側面に取付面を形成するものも含む。
【００１３】
請求項２に記載の発明によれば、裏面構成部材の背面に中継基板を取り付けるための中継基板取付部材を配設したので、中継基板を備えることにより裏面構成部材と電気的制御装置との間の隙間を更に無くすことが可能となる。
また、中継基板取付部材は、中継基板を取り付けるための取付面を裏面構成部材の背面から後方側に所定距離を有する位置に設定したので、中継基板取付部材の前後方向の厚さを増やすことができ、さらに隙間を無くすことができる。
【００１４】
請求項３に記載の発明は、請求項１または請求項２に記載の遊技機であって、前記第２流路構成部材は、前記複数の遊技球流路の各々に当該遊技機の検査時において検出器を取り付けるための検出器取付部を形成したことを特徴とする。
【００１５】
請求項３に記載の発明によれば、各遊技球流路に当該遊技機の検査時において検出器を取り付けるための検出器取付部を形成したので、検出器を容易に取り付けることが可能となる。
【００１６】
請求項４に記載の発明は、請求項１から請求項３の何れか一項に記載の遊技機であって、前記本体部材には、前記遊技盤に配設された変動入賞装置の後方を覆うカバー部を更に一段膨出した状態で形成し、
前記カバー部の内側に前記変動入賞装置に入賞した遊技球を流下案内する排出流路の一部を構成する部分流路構成部材を備え、
前記部分流路構成部材は、前記排出流路の一部を構成する流路構成部の後方に当該部分流路構成部材と前記カバー部との間の空間を無くす延在部を形成して、前記排出流路を前記遊技球流路の同じ前後位置に配設するようにしたことを特徴とする。
【００１７】
請求項４に記載の発明によれば、本体部材には、遊技盤に配設された変動入賞装置の後方を覆うカバー部を更に一段膨出した状態で形成したので、ピアノ線やセル等を挿入して不正に変動入賞装置を開放する等の不正を防止することができる。
また、カバー部の内側に変動入賞装置に入賞した遊技球を流下案内する流路の一部を構成する部分流路構成部材を備えたので、カバー部が後方に大きく膨出しても変動入賞装置に入賞した遊技球を確実に所定箇所に案内することが可能となる。
また、部分流路構成部材は、流路の一部を構成する流路構成部の後方に当該部分流路構成部材とカバー部との間の空間を無くす延在部を形成したので、カバー部の内部に隙間が形成されてしまうことを防止でき、この部分に不正部材を隠すことを防止できる。
【発明の効果】
【００１８】
本発明によれば、裏面構成部材が後方に膨出した形状となり、裏面構成部材と電気的制御装置との間の隙間を無くすことができ、その間に不正部材を取り付けることを防止できる。
また、裏面構成部材は、ベースとなる本体部材を各機種で共通に使用できるようにして、比較的小型の流路構成部材だけを機種毎に交換できるように構成したので、流路構成部材だけを機種に応じて設計変更すればよく、その製作の手間を省ける。さらに、本体部材を大量生産してコストを低減することができる上、流路構成部材の小型化により成型用金型を小型化することができる。
【発明を実施するための最良の形態】
【００１９】
以下、この発明の実施形態について図面を参照して説明する。
ここでは、本発明にかかる遊技機の適例としてのパチンコ遊技機について図１から図８を用いて説明を行う。
【００２０】
図１には、ガイドレール２で囲まれ、遊技球を発射して遊技を行う遊技領域１ａが前面側に形成された遊技盤１を示した。なお、パチンコ遊技機の外枠であって島設備に固定される機枠や、遊技領域１ａの前面を覆うガラス枠、遊技盤１を取り付ける前面枠、遊技領域１ａの下側に設けられ遊技球を収容する上皿、下皿を有するとともに、遊技者が発射操作を行うための操作ハンドルを備えた操作パネルなどは図示を省略している。
【００２１】
遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。また、遊技盤本体１ｂの前面であってガイドレール２の外側には、前面構成部材１８，１８，…が取り付けられている。そして、このガイドレール２で囲まれた遊技領域１ａ内に発射装置から遊技球（打球；遊技媒体）を発射して遊技を行うようになっている。
【００２２】
遊技領域１ａ内には、普図始動ゲート１４と、普図変動表示ゲームの未処理回数を表示する普図始動記憶表示器５、普通図柄の変動表示ゲームを表示する普図変動表示器３が設けられている。また、遊技領域１ａ内には、第１始動入賞口１６と、第２始動入賞口をなす普通変動入賞装置７と、特図の変動表示ゲームの未処理回数を点灯表示する特図始動記憶表示器６、特図の変動表示ゲームを表示する特図変動表示器１３が設けられている。
【００２３】
さらに遊技領域１ａには、上端側が手前側に倒れる方向に回動して開放可能になっているアタッカ形式の開閉扉４ａを有し、特図の変動表示ゲームの結果如何によって大入賞口を閉じた状態（遊技者にとって不利な状態）から開放状態（遊技者にとって有利な状態）に変換する特別変動入賞装置４、入賞口などに入賞しなかった遊技球を回収するアウト穴９が設けられている。この他、遊技領域１ａには、一般入賞口８，８，…、打球方向変換部材としての風車１０、多数の障害釘１７，１７，…などが配設されている。
【００２４】
普図始動ゲート１４内には、該普図始動ゲート１４を通過した遊技球を検出するための普図始動ゲートセンサが設けられている。そして、遊技領域１ａ内に打ち込まれた遊技球が普図始動ゲート１４内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート１４を遊技球が通過すると、普図始動記憶数の上限数未満でならば、普図始動記憶数が１加算されて普図始動記憶が１つ記憶されることとなる。なお、普図変動表示ゲームの始動記憶は、ＬＥＤを備える普図始動記憶表示器５にて表示されるようになっており、始動記憶が１つ記憶されるのに対応してＬＥＤを１つ点灯し、始動記憶が１つ減算されるのに対応してＬＥＤを１つ消灯するようになっている。
【００２５】
普図変動表示ゲームは、遊技領域１ａ内に設けられた７セグからなる普図変動表示器３で実行されるようになっている。なお、画像表示装置１５の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａ，７ａが所定時間（例えば、０.５秒間）上述のように開放される。これにより、普通変動入賞装置７に遊技球が入賞しやすくなり、特図の変動表示ゲームの始動が容易となる。
【００２６】
また、遊技領域１ａの略中央には、特図の変動表示ゲームの表示領域となる矩形状の表示窓部１２を形成するセンターケース１１が、図３に示すように、遊技盤本体１ｂに形成された開口１ｃに前面側から嵌め込まれることで取り付けられている。このセンターケース１１に形成された表示窓部１２の後方には、図２に示すように、上部裏面構成部材２０が取り付けられることによって画像表示装置１５が配されるようになっている。この画像表示装置１５は、例えば、液晶ディスプレイを備え、表示内容が変化可能な画像表示面１５ａがセンターケース１１の表示窓部１２を介して遊技盤１の前面側から視認可能となるように配されている。なお、画像表示装置１５は、液晶ディスプレイを備えるものに限らず、ＥＬ、ＣＲＴ等のディスプレイを備えるものであっても良い。
【００２７】
また、図１に示すように、普通変動入賞装置７は左右一対の開閉部材７ａ，７ａを具備し、第１始動入賞口１６の下部に配設され、この開閉部材７ａ，７ａは、常時は遊技球が流入不能な閉じた状態（遊技者にとって不利な状態）を保持しているが、普図変動表示ゲームの結果が所定の停止表示態様となった場合には、図示しない駆動装置（例えばソレノイド）によって、逆「ハ」の字状に開いて普通変動入賞装置７に遊技球が流入し易い状態（遊技者にとって有利な状態）に変化させられるようになっている。この普通変動入賞装置７と第１始動入賞口１６は、特図の始動入賞口も兼ねている。すなわち、普通変動入賞装置７と第１始動入賞口１６の内部（入賞領域）に備えられた特図始動入賞口センサによって遊技球を検出することに基づき、特図の変動表示ゲームを開始する始動権利が発生するようになっている。
【００２８】
この特図の変動表示ゲームを開始する始動権利は、所定の上限数（例えば４）の範囲内で始動記憶（特図始動記憶）として記憶される。従って、特図の変動表示ゲームが開始可能な状態で、且つ、始動記憶数が０の状態で、普通変動入賞装置７もしくは第１始動入賞口１６に遊技球が入賞すると、始動権利の発生に伴って始動記憶が記憶されて、始動記憶数が１加算されるととともに、直ちに始動記憶に基づいて、特図の変動表示ゲームが開始され、この際に始動記憶数が１減算される。
【００２９】
一方、特図の変動表示ゲームが直ちに開始できない状態、例えば、既に特図の変動表示ゲームが行われ、その特図の変動表示ゲームが終了していない状態や、特別遊技状態となっている場合に、普通変動入賞装置７もしくは第１始動入賞口１６に遊技球が入賞すると、始動記憶数が上限数未満ならば、始動記憶数が１加算されて始動記憶が１つ記憶されることになる。そして、始動記憶数が１以上となった状態で、特図の変動表示ゲームが開始可能な状態（前回の特図の変動表示ゲームの終了もしくは特別遊技状態の終了）となると、始動記憶数が１減算されるとともに、記憶された始動記憶に基づいて特図の変動表示ゲームが開始される。なお、特図の変動表示ゲームの始動記憶は、ＬＥＤを備える特図始動記憶表示器６にて表示されるようになっており、始動記憶が１つ記憶されるのに対応してＬＥＤを１つ点灯し、始動記憶が１つ減算されるのに対応してＬＥＤを１つ消灯するようになっている。
【００３０】
特別図柄（特図、識別情報）の変動表示ゲームは、遊技領域１ａ内に設けられた７セグからなる特図変動表示器１３で実行されるようになっている。また、画像表示装置１５にて複数種類の識別情報（例えば、数字、記号、キャラクタ図柄など）を変動表示させる特図の変動表示ゲームに対応した表示ゲームが実行されるようになっている。そして、この特図の変動表示ゲームの結果として、特図変動表示器１３の表示態様が特別結果態様（たとえば「７」）となった場合には、大当たりとなって特別遊技状態（いわゆる、大当たり状態）となる。また、これに対応して画像表示装置１５の表示態様も特別結果態様（例えば、「７，７，７」等のゾロ目数字の何れか）となる。なお、遊技機に特図変動表示器１３を備えずに、画像表示装置１５のみで特図の変動表示ゲームを実行するようにしても良い。
【００３１】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、例えば、ソレノイドのような駆動装置により駆動される。また、大入賞口の内部（入賞領域）には、該大入賞口に入った遊技球を検出するための大入賞口用センサが配設されている。
【００３２】
また、遊技領域１ａに設けられた一般入賞口８，８，…には、一般入賞口８，８，…に入った遊技球を検出するための一般入賞センサが配設されている。そして、遊技を開始することにより遊技領域１ａ内に打ち込まれた遊技球が、一般入賞口８，８，…、普通変動入賞装置７、第１始動入賞口１６、特別変動入賞装置４等の入賞口の何れかに入賞すると、それぞれの入賞口に対応した所定数の賞球が排出される（払い出される）ようになっている。
【００３３】
次に、遊技盤１の裏面に配された上部裏面構成部材２０、裏面構成部材３０について説明する。図２，４に示すように、上部裏面構成部材２０は、前面側に開口した矩形状の凹部であるセンターケース収納空間２１を有し、このセンターケース収納空間２１の開口部に画像表示面１５ａが臨む状態で上部裏面構成部材２０の背面に画像表示装置１５が取り付けられるようになっている。また、上部裏面構成部材２０の周囲を形成する周囲壁２５には、前端の周縁の所定個所に周囲壁２５に対して垂直に外側へ延出する鍔状の取付片２２，２２，…が形成されている。この取付片２２，２２，…には、ねじ穴２２ａ，２２ａ，…および円形状の位置決め突部２２ｂ，２２ｂ，…が形成されており、遊技盤本体１ｂの裏面の所定位置にねじによって上部裏面構成部材２０を固定できるようになっている。
【００３４】
そして、上部裏面構成部材２０を遊技盤本体１ｂの裏面に取り付けると、センターケース収納空間２１によって遊技盤本体１ｂの後方に突出するセンターケース１１の後部が後方から覆われ、センターケース収納空間２１に収容された状態となる。その後、上部裏面構成部材２０に画像表示装置１５を取り付けると、画像表示装置１５の画像表示面１５ａが、センターケース１１の表示領域を区画する開口である表示窓部１２の後部にちょうど密着して配設されるようになっている。これにより、遊技盤１の前面側から表示窓部１２を通して画像表示面１５ａを視認可能となる。
【００３５】
また、上部裏面構成部材２０には、画像表示装置１５を制御するための制御装置などが画像表示装置１５の背面側に配されており、その背面は背面カバー２３によって閉鎖されている。この上部裏面構成部材２０の背面を閉鎖する背面カバー２３と、その下側に配される後述の裏面構成部材３０の背面に配される遊技制御装置１９を収納したボックス１９ａの前後位置は略同じであり、互いに上下に組み合わさる形状となっているとともに、両者の間の隙間が小さくなるようになっている。
【００３６】
図２から８に示すように、裏面構成部材３０は、上部裏面構成部材２０の下部であって、遊技盤１の前面に形成された入賞領域（一般入賞口８，８，…、普通変動入賞装置７、第１始動入賞口１６、特別変動入賞装置４）の裏面側となる位置に配されており、入賞領域に入賞した遊技球を流下案内する遊技球流路８３，９３を形成するとともに、電気的制御装置として、遊技の制御を行う遊技制御装置１９が取り付けられている。この裏面構成部材３０は、各種部材の取付ベースとなる本体部材３１に、遊技球流路８３，９３を構成する第１流路構成部材８０、第２流路構成部材９０や、部分流路構成部材４３などが取り付けられることで構成されている。
【００３７】
図６，８に示すように、本体部材３１は、所定の前後幅を有し、後方側に膨出するとともに前方側に開口した凹形状に形成されている。本体部材３１における後方側への膨出幅は、その部位によって様々であり、左右側端部に位置し、裏面側に遊技制御装置１９が取り付けられる制御装置取付部３２が最も大きく膨出している。そして、この制御装置取付部３２に隣接し、前面側に第１流路構成部材８０が配される第１収納部３３は、裏面側に第１中継基板取付部材１００を取り付けるための第１取付部３５が形成されている分だけ後方への膨出幅が小さくなっている。また、同じく制御装置取付部３２に隣接し、前面側に第２流路構成部材９０が配される第２収納部３４は、裏面側に第２中継基板取付部材１１０を取り付けるための第２取付部３６が形成されている分だけ後方への膨出幅が小さくなっている。
【００３８】
また、本体部材３１の中央部にあって、遊技盤１に配設された普通変動入賞装置７、特別変動入賞装置４の後方を覆うカバー部３８は、第１収納部３３、第２収納部３４よりも一段後方に膨出しているが、制御装置取付部３２よりは膨出幅が小さいものとされている。なお、これら本体部材３１の各部位の詳細については後述する。
【００３９】
また、本体部材３１の周囲を形成する周囲壁３９には、前端の周縁の所定個所に周囲壁３９に対して垂直に外側へ鍔状に延出する取付片４０，４０，…が形成されている。この取付片４０，４０，…には、ねじ穴４０ａ，４０ａ，…および円形状の位置決め突部４０ｂ，４０ｂ，…が形成されており、遊技盤本体１ｂの裏面の所定位置にねじによって裏面構成部材３０を固定できるようになっている。さらに、本体部材３１には、各種部材の位置決めや取り付けのためのボス４７，５３，５７やねじ止め部が複数形成されている。
【００４０】
図６に示すように、本体部材３１の中央部にあって、遊技盤１に配設された普通変動入賞装置７、特別変動入賞装置４の後方を覆うカバー部３８は、上部が普通変動入賞装置７を収納する普通変動入賞装置収納部４１とされ、下部が特別変動入賞装置４を収納する特別変動入賞装置収納部４２とされている。
【００４１】
普通変動入賞装置収納部４１は、遊技盤本体１ｂの後方へ突出する普通変動入賞装置７の後部を収納するものである。この普通変動入賞装置７の後部には、開閉部材７ａ，７ａの駆動源（例えば、ソレノイド）や入賞した遊技球を誘導する遊技球流路などが備えられている。
【００４２】
普通変動入賞装置収納部４１においては、本体部材３１の周囲壁３９をなす上壁に前後方向に沿ったスリット４１ａが形成されているとともに、このスリット４１ａに連続して後壁にＬ字型のスリット４１ｂが形成されている。このスリット４１ａ，４１ｂは、ここに収納される普通変動入賞装置７に接続された配線を通すためのものであって、このスリット４１ａ，４１ｂを通して本体部材３１の後方側に配される中継基板などに接続できるようになっている。
【００４３】
また、普通変動入賞装置収納部４１の下側は、特別変動入賞装置４を収納するための特別変動入賞装置収納部４２とされている。この特別変動入賞装置収納部４２においては、本体部材３１の周囲壁３９をなす底壁上に部分流路構成部材４３が収納され、その上側に遊技盤本体１ｂの後方へ突出する特別変動入賞装置４の後部が収納されるようになっている。
【００４４】
部分流路構成部材４３は、特別変動入賞装置４に入賞した遊技球を、裏面構成部材３０の下方へ流下させる排出流路を構成するコ字状の流路構成部４４と、該流路構成部４４の後方に形成され、カバー部３８との隙間を埋めるスペーサとして機能する延在部４５と、左右側部にあって、外側へ突出するように形成された取付部４６，４６とを有する。
【００４５】
取付部４６，４６は前後方向に貫通する開口を有しており、図５に示すように、コ字状の流路構成部４４を前側にして、本体部材３１に形成された前後方向に沿って前方向に延出するボス４７，４７をこの開口に挿入するように取り付けることで、部分流路構成部材４３が特別変動入賞装置４の下部に収納されるようになっている。また、このボス４７は、ボス４７の径よりも大きい径を有する基部４８の前端部に形成されており、取付部４６はこの基部４８の前端面に当接した位置で係止されることとなる。これにより、部分流路構成部材４３は所定の前後位置に配されることとなる。さらに、部分流路構成部材４３を取り付けた後、ボス４７，４７の前部には後述する第１流路構成部材８０、第２流路構成部材９０の挿入部８０ｂ，９０ｂが固定されるようになっており、これによって部分流路構成部材４３が固定されることとなる。
【００４６】
部分流路構成部材４３が所定の前後位置に配された状態では、前側に開口するように配されたコ字状の流路構成部４４において左右方向に沿って配される後壁をなす後壁面４４ａが、後述の第１流路構成部材８０、第２流路構成部材９０における流路形成溝８２，９２の後壁面と略同じ前後位置に配される。また、コ字状の流路構成部４４において後壁面４４ａの両端部に後壁面４４ａと直交するように形成され、前後方向に沿って配された側壁面４４ｂ，４４ｂの前端部は、後述の第１流路構成部材８０、第２流路構成部材９０の前端部（流路形成溝８２，９２の前端部）と略同じ前後位置に配される。すなわち、コ字状の流路構成部４４は流路形成溝８２，９２と同じ前後幅を有する。また、側壁面４４ｂ，４４ｂの前端部の前後位置は、本体部材３１の前端部と同じ前後位置であって、これによって、コ字状の流路構成部４４の前端が遊技盤本体１ｂの裏面に密着でき、矩形筒状の排出流路が形成されるようになる。
【００４７】
ここで、部分流路構成部材４３が配される本体部材３１における特別変動入賞装置収納部４２の前端は、本体部材３１の前端であって遊技盤本体１ｂの裏面に取り付けられる面よりも、遊技球の直径以上の距離だけ後退した位置にあり、側壁面４４ｂ，４４ｂは前端よりも前側に突出するように配されている。これにより、部分流路構成部材４３によってここに形成される排出流路で遊技球を裏面構成部材３０の下方へ排出できるようになっている。また、この本体部材３１の前端が後退した部分であって流路構成部４４の左右には、後述の第１流路構成部材８０、第２流路構成部材９０の排出部８６，９６が配されるようになっており、同じく遊技球を下方に排出できるようになっている。
【００４８】
以上のことから、本体部材３１には、遊技盤１に配設された変動入賞装置（普通変動入賞装置７、特別変動入賞装置４）の後方を覆うカバー部３８を更に一段膨出した状態で形成し、カバー部３８の内側に変動入賞装置に入賞した遊技球を流下案内する流路の一部を構成する部分流路構成部材４３を備え、部分流路構成部材４３は、流路の一部を構成する流路構成部４４の後方に当該部分流路構成部材４３とカバー部３８との間の空間を無くす延在部４５を形成したこととなる。
【００４９】
この部分流路構成部材４３の上側に収納される特別変動入賞装置４は、遊技盤本体１ｂに固定されていて、裏面構成部材３０を遊技盤本体１ｂの裏面に取り付けることで、特別変動入賞装置収納部４２に収納されるようになっている。この特別変動入賞装置４は、その前部が遊技盤１の前面の遊技領域１ａに位置し、前面には上端側が手前側に倒れる方向に回動して大入賞口を開放可能になっているアタッカ形式の開閉扉４ａを有し、特別遊技状態においてこの開閉扉４ａを開放することで大入賞口に遊技球が容易に流入するようになっている。
【００５０】
大入賞口の内部は、底面４ｂが前面側から見て左方向へ下るように傾斜しているとともに、左端部が後方へ延出しており、この後方へ延出した部分がちょうど部分流路構成部材４３で形成される排出流路の上部に位置するようになっている。そして、この部分の底面に、排出流路に連通する連通穴（図示略）が形成されている。すなわち、大入賞口に入賞した遊技球はこの連通穴を通って排出流路に至り、裏面構成部材の下方へ排出される。また、連通穴には大入賞口に入賞した遊技球を検出する大入賞口用センサが設けられている。
【００５１】
また、連通穴が形成された部分に隣接して、大入賞口とは独立して上下に貫通する矩形筒状の連通流路４９が形成されている。この連通流路４９は、特別変動入賞装置４の上部に配される普通変動入賞装置７に入賞した遊技球を、排出流路へ誘導するものである。
【００５２】
また、図３に示すように、特別変動入賞装置４の後部には、開閉扉４ａを駆動するための駆動源（例えば、ソレノイド）が配設されているとともに、後端部には配線を接続するためのコネクタ部４ｄが設けられている。そして、特別変動入賞装置収納部４２においては、本体部材３１の背面壁に前後に貫通する開口５０が形成されており、特別変動入賞装置４のコネクタ部４ｄがこの開口を通して裏面構成部材３０の後方へ露出するようになっている。これによって、本体部材３１の後方側に配される中継基板などに接続できるようになっている。
【００５３】
また、図４に示すように、普通変動入賞装置収納部４１とされた部分の前面側から見て左側における本体部材３１の外周部は、切欠き状に下方に窪むように形成され、ここに取付片配設空間５１が形成されている。この取付片配設空間５１は、上部裏面構成部材２０に形成された取付片２２が配される部分であって、後方側からねじ止めを可能とするための空間である。
【００５４】
本体部材３１における上述のカバー部３８の左右に隣接した部分は、入賞領域に入賞した遊技球を流下案内する遊技球流路８３，９３を形成する流路構成部材を収納する流路構成部材収納部とされている。この流路構成部材収納部は、裏面構成部材の前面側から見て右側に形成された第１収納部３３と左側に形成された第２収納部３４とから構成され、第１収納部３３には第１流路構成部材８０が収納され、第２収納部３４には第２流路構成部材９０が収納されるようになっている。この第１収納部３３、第２収納部３４の背面はそれぞれ、略凹凸がなく均等に後方へ膨出している。
【００５５】
また、第１収納部３３とされた部分の上部における本体部材３１の外周部は、切欠き状に下方へ窪むように形成され、ここに予備空間６４が形成されている。この予備空間６４は、本体部材３１を複数の機種で共通使用可能とするために形成されたものであって、この部分に部材（例えば、モータ）が配設される機種に対しても使用できるようになっている。
【００５６】
さらに、第１収納部３３、第２収納部３４の上壁は、ここに配される第１流路構成部材８０、第２流路構成部材９０の厚みの分だけ前後幅が狭くなった切欠部５４，５４が形成されている。この切欠部５４，５４も本体部材３１を複数の機種で共通使用可能とするためのものであって、遊技盤１における入賞領域の配設位置に応じて、第１流路構成部材８０、第２流路構成部材９０を本体部材３１の上方へ延出して配設することを可能とするものである。なお、この切欠部５４，５４と対応して、裏面構成部材３０の上部に配される上部裏面構成部材２０の下側の周囲壁２５にも切欠部２４，２４が形成されており、裏面構成部材３０の上方に延出するように配される第１流路構成部材８０、第２流路構成部材９０は、この切欠部５４，２４を通って上部裏面構成部材２０のセンターケース収納空間２１内に延出することとなる。
【００５７】
図４から６に示すように第１流路構成部材８０は、その前面側に流路形成壁８１が形成されており、この流路形成壁８１によって前方に開口した断面がコ字状の流路形成溝８２が形成されている。この流路形成溝８２は、遊技球の直径以上の深さを有していて、裏面構成部材３０を遊技盤本体１ｂの裏面に取り付けることで、前面側の開口が遊技盤本体１ｂの裏面で閉鎖されるようになっている。これによって、遊技盤本体１ｂの裏面と流路形成溝８２とで遊技球流路８３，８３が形成されるようになっている。また、流路形成壁８１には、遊技球流路８３の内部に突出する複数のリブ８４，８４，…が形成されており、遊技球流路８３を流下する遊技球がこのリブ８４，８４，…に接触することで、その流下速度が遅くなるようにされている。
【００５８】
このように形成される遊技球流路８３，８３は各入賞領域に対応して形成されていて、各遊技球流路８３の上流側端部は各入賞領域からの遊技球を受け入れ可能な位置に配されるようになっている。すなわち、異なる入賞領域から入賞した遊技球を個別に流下案内する複数の遊技球流路８３，８３が形成されている。また、各遊技球流路８３は、下流側に形成された集合流路８５において合流し、一条の排出部８６から排出されるようになっている。
【００５９】
第１流路構成部材８０に形成された遊技球流路８３，８３は、本体部材３１の中央部側に配される一方が遊技盤１の中央に形成された第１始動入賞口１６に対応した第１始動入賞流路８３ａとされ、他方が遊技盤１の前面側から見て右側に形成された一般入賞口８に対応した一般入賞流路とされている。また、この各遊技球流路８３には、流下する遊技球を検出する遊技球検出センサ（図示略）を取り付けるセンサ固定部８８が、集合流路８５より上流側に設けられており、それぞれの入賞領域に入賞した遊技球を別々に検出できるようになっている。この遊技球検出センサは、第１流路構成部材８０の裏面側からセンサ固定部８８に収納されて所定の位置に配されるとともに、センサ固定片８８ａ（図８に図示）によってセンサ固定部８８内に固定されている。なお、第１始動入賞口１６に入賞した遊技球が流下する第１始動入賞流路８３ａは、第１流路構成部材８０の前面側から見て左上部に流入口８３ｂを有し、この流入口８３ｂに流入した遊技球は、流入口８３ｂの直下に形成されたセンサ固定部８８に取り付けられる遊技球検出センサによって検出されるようになっている。そして、この遊技球検出センサによって遊技球が検出されることに基づき、特図の変動表示ゲームを開始する始動権利が発生するようになっている。すなわち、この遊技球検出センサは第１始動入賞口１６のセンサであり、特図始動入賞口センサをなす。
【００６０】
また、第１流路構成部材８０において流路形成溝８２が形成された部分は、前面側の左側略半分だけであり、残りの右側半分は流路形成溝８２と同じ前後幅を有する空間部８９とされ、該空間部の内部には補強のためのリブ８９ａが形成されている。なお、機種によってはこの空間部８９に流路形成溝８２を形成し、遊技球流路８３を形成することも可能である。
【００６１】
また、図８に示すように第１流路構成部材８０の後部には、後方へ突出するリブ８０ａが形成されており、凹形状の第１収納部３３に対して所定の前後位置に第１流路構成部材８０が配されるようになっている。すなわち、凹形状の第１収納部３３の前後幅は、第１流路構成部材８０に形成された流路形成溝８２の前後幅よりも大きく、リブ８０ａが第１収納部３３内の後壁に接することで、流路形成溝８２が所定の前後位置に配される。この所定の前後位置とは、第１流路構成部材８０の前端部（流路形成溝８２の前端部）と本体部材３１の前端部が一致するような前後位置であって、これによって、第１流路構成部材８０が遊技盤本体１ｂの裏面に密着でき、矩形筒状の遊技球流路８３が形成されるようになる。また、これによって第１流路構成部材８０が第１収納部３３の切欠部５４と対応した位置に配されることとなり、切欠部５４から本体部材３１の上方へ延出することも可能となる。
【００６２】
また、第１流路構成部材８０の裏面であって、予備空間６４と対応する位置には、該予備空間６４を埋めるスペーサ部材６５が取り付けられている。このスペーサ部材６５を設けることにより、予備空間６４内に不正部材が取り付けられることを防止できる。なお、この予備空間６４に部材が配設される機種の場合は、このスペーサ部材６５を設ける必要はない。
【００６３】
この他に、第１流路構成部材８０の裏面には、本体部材３１に形成されたボス４７，４７，…を挿入可能な挿入部８０ｂ，８０ｂ，…が形成されている。この挿入部８０ｂ，８０ｂ，…には前後に貫通するねじ穴が形成されており、ボス４７，４７，…の先端にはねじ止め部が形成されていて、ねじによって第１流路構成部材８０を固定できるようになっている。
【００６４】
図４から６に示すように第２流路構成部材９０は、基本的には第１流路構成部材８０と同様の構成を有しており、前面側に流路形成壁９１が形成され、この流路形成壁９１によって前方に開口した断面がコ字状の流路形成溝９２が形成されている。この流路形成溝９２は、遊技球の直径以上の深さを有し、裏面構成部材３０を遊技盤本体１ｂの裏面に取り付けることで、前面側の開口が遊技盤本体１ｂの裏面で閉鎖されるようになっている。これによって、遊技盤本体１ｂの裏面と流路形成溝９２とで遊技球流路９３，９３，９３が形成されるようになっている。また、流路形成壁９１には、遊技球流路９３を流下する遊技球の流下速度を遅くするためのリブ９４，９４，…が突設されている。
【００６５】
この第２流路構成部材９０に形成された遊技球流路９３，９３，９３は、遊技盤１の前面側から見て左側に形成された３つの一般入賞口８，８，８に対応して形成されている。また、これらの遊技球流路９３，９３，９３は、下流側にある集合流路９５で合流しており、遊技球流路９３，９３，９３を流下した遊技球は集合流路９５に至った後、集合流路９５の下方に形成された排出部９６から排出される。この排出部９６には、流下する遊技球を検出する遊技球検出センサ（図示略）を取り付けるためのセンサ固定部９８が設けられており、遊技盤１の前面側から見て左側に形成された３つの一般入賞口８，８，８に入賞した遊技球をまとめて検出できるようになっている。この遊技球検出センサは、第２流路構成部材９０の裏面側からセンサ固定部９８に収納されて所定の位置に配されるとともに、センサ固定片９８ａ（図８に図示）によってセンサ固定部９８内に固定されている。
【００６６】
この第２流路構成部材９０に形成された３つの一般入賞口８，８，８に対応した遊技球流路９３，９３，９３のそれぞれには、集合流路９５よりも上流側に遊技球検出センサを取り付け可能な検出器取付部９９，９９，９９が形成されている。この検出器取付部９９，９９，９９は、遊技機の検査時に用いるものであって、第２流路構成部材９０の前面側から遊技球検出センサを収納できるようになっている。これによって各一般入賞口８，８，８に入賞した遊技球を別々に検出でき、入賞口ごとの入賞数を計数できる。なお、通常時には遊技球検出センサは取り付けられていない。
【００６７】
また、図８に示すように第２流路構成部材９０の後部にも後方へ突出するリブ９０ａが形成されていて、このリブ９０ａが第２収納部３４内の後壁に接するようになっている。これにより第２流路構成部材９０は、流路形成溝９２よりも前後幅が大きい凹形状の第２収納部３４に対して、流路形成溝９２の前端部と本体部材３１の前端部とが一致するように配される。また、これによって、第２流路構成部材９０が遊技盤本体１ｂの裏面に密着し、矩形筒状の遊技球流路９３が形成されるようになる。さらに、第２流路構成部材９０が第２収納部３４の切欠部５４と対応した位置に配されることとなり、第２流路構成部材９０の上部が切欠部５４から本体部材３１の上方へ延出するように配される。
【００６８】
この他に、第２流路構成部材９０の裏面には、本体部材３１に形成されたボス４７，４７，…を挿入可能な挿入部９０ｂ，９０ｂ，…が形成されている。この挿入部９０ｂ，９０ｂ，…には前後に貫通するねじ穴が形成されており、ボス４７，４７，…の先端にはねじ止め部が形成されていて、ねじによって第２流路構成部材９０を固定できるようになっている。
【００６９】
なお、第１流路構成部材８０、第２流路構成部材９０には、複数の遊技球流路８３，９３が形成されているが、図８に示すように、これらを収納する第１収納部３３、第２収納部３４の背面はそれぞれ、略凹凸がなく均等に後方へ膨出している。よって、遊技球流路８３，９３の数や形状にかかわらず、遊技球流路８３，９３の後方を平面形状とすることができ、不正部材の取り付けを防止できる。また、このように機種に依存した形状をした遊技球流路８３，９３を構成する第１流路構成部材８０、第２流路構成部材９０が本体部材３１と別部材であり、選択的に交換可能であることから、本体部材３１を複数の機種で共通に使用可能となる。
【００７０】
以上のことから、前面側に入賞領域（一般入賞口８，８，…、普通変動入賞装置７、第１始動入賞口１６、特別変動入賞装置４）が形成された遊技盤１の後面側に、該入賞領域に入賞した遊技球を所定方向に流下案内する遊技球流路８３，９３が形成された裏面構成部材３０を備えるとともに該裏面構成部材３０の後方に電気的制御装置（遊技制御装置１９）を配設した遊技機において、裏面構成部材３０は、遊技盤１の後面に取り付けられ、前方開口の凹形状を有する本体部材３１と、本体部材３１の凹部の内部に収納されるとともに、遊技球流路８３，９３が形成された流路構成部材（第１流路構成部材８０、第２流路構成部材９０）と、を備え、本体部材３１をその前後幅が流路構成部材における遊技球流路８３，９３の前後幅よりも大きくなるように後方側に膨出形成するとともに複数種の遊技機で共通的に使用可能に構成し、一方、流路構成部材を遊技機別に選択的に交換可能に構成したこととなる。
【００７１】
また、流路構成部材（第１流路構成部材８０、第２流路構成部材９０）には、異なる入賞領域から入賞した遊技球を個別に流下案内する複数の遊技球流路８３，９３が形成され、本体部材３１における流路構成部材を収納する収納部（第１収納部３３、第２収納部３４）は、複数の遊技球流路にかかわらず均等に膨出していることとなる。
【００７２】
また、流路構成部材（第１流路構成部材８０、第２流路構成部材９０）は、異なる入賞領域から入賞した遊技球を個別に流下案内する複数の遊技球流路８３，９３を形成するとともに、該複数の遊技球流路８３，９３の下流側に当該各遊技球流路８３，９３からの遊技球を集合させて一条の排出部８６，９６から排出する集合流路８５，９５を形成し、排出部８６，９６に遊技球を検出する検出器（遊技球検出センサ）を備える一方、各遊技球流路９３に当該遊技機の検査時において検出器を取り付けるための検出器取付部９９を形成したこととなる。
【００７３】
図７，８に示すように、本体部材３１の裏面側であって、第１収納部３３の裏面側は、中継基板（図示略）が取り付けられた第１中継基板取付部材を配設可能な第１取付部３５とされている。この第１取付部３５には、後方に突出するボス５３，５３，５３や、配線を通すための前後に貫通した開口５５、配線を保持するための配線保持部５２、係合部材１０８，１０８，１０８と係合可能な係合穴５６が形成されている。
【００７４】
この第１取付部３５に取り付けられる第１中継基板取付部材１００は、中継基板を取り付け可能な取付面１０３ａを有する取付板部１０３を備えた中継基板取付部１０１と、第１取付部３５の使用しない部分を埋めるスペーサとしてのスペーサ部１０２を有している。この第１中継基板取付部材１００は、中継基板取付部１０１がカバー部３８に隣接するように配されるとともに、スペーサ部１０２が中継基板取付部１０１と側端に位置する制御装置取付部３２との間を埋めるように配される。
【００７５】
後側に開口した矩形状の凹部である中継基板取付部１０１の上下には係止部材１０４，１０４が設けられており、この係止部材１０４，１０４によって中継基板が後壁をなす取付板部１０３の取付面１０３ａと平行に保持されるようになっている。なお、係止部材１０４，１０４のうち上側の係止部材１０４は上下に弾性変形可能であり、下側の係止部材１０４に中継基板の一端を係止させ、ここを支点として後方へ押し込むことで容易に取り付けられるようになっている。
【００７６】
また、中継基板取付部１０１の取付板部１０３は前端部よりも後退した位置に形成されており、中継基板取付部１０１の前面側（本体部材３１の第１取付部３５と対向する側）にも凹部１０５が形成されている。この前面側の凹部１０５は、第１取付部３５の開口５５を通って後方に導出された配線を通す空間を形成するものである。また、この前面側の凹部１０５の側壁には、カバー部３８の特別変動入賞装置収納部４２に形成された開口５０に隣接する部分に切欠き状の配線導出口１０６が形成されており、ここから第１取付部３５の開口５５を通って後方に導出された配線を外部に導出し、中継基板などに接続できるようになっている。
【００７７】
スペーサ部１０２は、中継基板取付部１０１の側部に一体的に形成されており、中継基板取付部１０１とは逆に前側に開口した矩形状の凹部を有する。このスペーサ部１０２は、第１取付部３５の使用しない部分を埋めるためのものであって、機種によってはこのスペーサ部１０２が配された部分を中継基板取付部などとして利用することも可能である。
【００７８】
そして、第１中継基板取付部材１００における本体部材３１の第１取付部３５と対向する側には、第１取付部３５に形成されたボス５３，５３，５３と対向する位置に、ボス５３，５３，５３の先端部を挿入可能な挿入部１０７，１０７，１０７が形成されている。この挿入部１０７，１０７，１０７のうち、前側に開口した凹部となったスペーサ部１０２に形成された挿入部１０７は、凹部の前後幅と同じだけ前方向に延出したボス状に形成されている。
【００７９】
また、中継基板取付部１０１の取付板部１０３に形成された挿入部１０７，１０７も、取付板部１０３が前端部よりも後退した位置に形成されていることから、その分だけ前方向に延出するようにボス状に形成されている。これによって、中継基板を取り付けるための取付板部１０３の取付面１０３ａが裏面構成部材３０の背面から後方側に所定距離を有する位置に設定されるようになる。
【００８０】
また、この挿入部１０７，１０７，１０７には前後に貫通するねじ穴が形成され、ボス５３，５３，５３の先端にはねじ止め部が形成されていて、ねじによって第１中継基板取付部材１００を固定できるようになっている。さらに、第１中継基板取付部材１００の側部の前端には、第１取付部３５に形成された係合穴５６，５６，５６に係合可能な係合部材１０８，１０８，１０８が形成されており、この係合部材１０８，１０８，１０８によっても第１中継基板取付部材１００が第１取付部３５に固定されるようになっている。
【００８１】
また、本体部材３１の裏面側であって、第２収納部３４の裏面側は、中継基板が取り付けられた第２中継基板取付部材１１０を配設可能な第２取付部３６とされている。この第２取付部３６には、後方に突出するボス５７，５７や係合部材１１７，１１７，１１７と係合可能な係合穴５８，５８，５８が形成されている。
【００８２】
第２中継基板取付部材１１０は、中継基板を取り付け可能な取付面１１３ａを有する取付板部１１３を備え、後側に開口した矩形状の凹部である中継基板取付部１１１を備えている。この中継基板取付部１１１は、上述の第１中継基板取付部材１００の中継基板取付部１０１と同様の構成を有するものであって、中継基板取付部１１１の上下には係止部材１１２，１１２が設けられており、この係止部材１１２，１１２によって中継基板が後壁をなす取付板部１１３の取付面１１３ａと平行に保持されるようになっている。
【００８３】
また、中継基板取付部１１１の取付板部１１３は前端部よりも後退した位置に形成されており、中継基板取付部１１１の前面側（本体部材３１の第２取付部３６と対向する側）にも凹部１１５が形成されている。これによって、中継基板を取り付けるための取付板部１１３の取付面１１３ａが裏面構成部材３０の背面から後方側に所定距離を有する位置に設定されるようになる。
【００８４】
そして、この凹部１１５には、第２取付部３６に形成されたボス５７，５７と対向する位置に、ボス５７，５７の先端部を挿入可能な挿入部１１６，１１６が、取付板部１１３が後退した分だけ前方向に延出するようにボス状に形成されている。また、この挿入部１１６，１１６には前後に貫通するねじ穴が形成され、ボス５７，５７の先端にはねじ止め部が形成されていて、ねじによって第２中継基板取付部材１１０を固定できるようになっている。さらに、第２中継基板取付部材１１０の側部の前端には、第２取付部３６に形成された係合穴５８，５８，５８に係合可能な係合部材１１７，１１７，１１７が形成されており、この係合部材１１７，１１７，１１７によっても第２中継基板取付部材１１０が第２取付部３６に固定されるようになっている。
【００８５】
なお、取付板部を裏面構成部材から所定間隔を設けた位置に取り付けることで、取付面を裏面構成部材から所定間隔を設けた位置に配するようにしているが、取付板部を肉厚の部材で形成することによって、取付面を裏面構成部材から所定間隔を設けた位置に配するようにしても良い。
【００８６】
以上のことから、裏面構成部材３０の背面に、中継基板を取り付けるための中継基板取付部材（第１中継基板取付部材１００、第２中継基板取付部材１１０）を配設し、中継基板取付部材は、中継基板を取り付けるための取付面１０３ａ，１１３ａを裏面構成部材３０の背面から後方側に所定距離を有する位置に設定したこととなる。
【００８７】
また、本体部材３１の左右側端部は、裏面構成部材３０の後方に遊技制御装置１９を取り付けるための制御装置取付部３２とされている。この制御装置取付部３２を構成する本体部材３１の裏面側から見て左側の側端部には軸受部５９，５９が形成されており、この軸受部によって、遊技制御装置１９を収納したボックス１９ａの前面側に形成された上下方向に沿って延在する回動軸１９ｂ、１９ｂ（図２に図示）が回動可能に保持されるようになっている。これによって、遊技制御装置１９を収納したボックス１９ａが、左右方向に扉状に回動可能に軸支されるようになっている。また、制御装置取付部３２を構成する本体部材３１の裏面側から見て右側の側端部には係止部６０が形成されており、遊技制御装置１９を収納したボックス１９ａの前面側に形成された係止部材（図示略）をこの係止部６０に係止することで、遊技制御装置１９が裏面構成部材３０の裏面側に固定されることとなる。
【００８８】
この制御装置取付部３２は、本体部材３１の裏面側において最も大きく後方に膨出した部分であり、さらには、本体部材３１の裏面側に取り付けられた第１中継基板取付部材１００、第２中継基板取付部材１１０の後端部よりも後方へ突出している。よって、遊技制御装置１９を収納したボックス１９ａを裏面構成部材３０の裏面側に固定しても、第１中継基板取付部材１００、第２中継基板取付部材１１０や、裏面構成部材３０の後部と干渉しないようになっている。
【００８９】
以上のような構成を有する裏面構成部材３０においては、複数の機種で共通使用可能な本体部材３１に対して、機種に応じた第１流路構成部材８０、第２流路構成部材９０や第１中継基板取付部材１００、第２中継基板取付部材１１０を選択的に取り付けることで、複数の機種に使用することができる。すなわち、上述した実施形態における第１流路構成部材８０、第２流路構成部材９０、第１中継基板取付部材１００、第２中継基板取付部材１１０の形状や配設態様は一例であって、これに限られるものではない。
【００９０】
例えば、第１収納部３３、第２収納部３４には、遊技盤１に形成された入賞領域の位置にあわせた第１流路構成部材８０、第２流路構成部材９０を取り付ければ良く、さらには、入賞領域がなく、流路構成部材を配設する必要がない場合はスペーサ部材を配設して不正部材の取り付けを防止するようにする。また、第１取付部３５、第２取付部３６も中継基板の数にあわせて第１中継基板取付部材１００、第２中継基板取付部材１１０を取り付ければ良く、使用しない場合はスペーサ部材を配設して不正部材の取り付けを防止するようにする。また、これら第１収納部３３、第２収納部３４、第１取付部３５、第２取付部３６には、流路構成部材や中継基板取付部材を取り付けるだけでなく、制御装置や駆動源などを取り付けるようにしても良い。また、その他の部材の形状や、配設位置もこれに限られるものではない。
【００９１】
以上ような遊技機は、前面側に入賞領域（一般入賞口８，８，…、普通変動入賞装置７、第１始動入賞口１６、特別変動入賞装置４）が形成された遊技盤１の後面側に、該入賞領域に入賞した遊技球を所定方向に流下案内する遊技球流路８３，９３が形成された裏面構成部材３０を備えるとともに該裏面構成部材３０の後方に電気的制御装置（遊技制御装置１９）を配設した遊技機であって、裏面構成部材３０は、遊技盤１の後面に取り付けられ、前方開口の凹形状を有する本体部材３１と、本体部材３１の凹部の内部に収納されるとともに、遊技球流路８３，９３が形成された流路構成部材（第１流路構成部材８０、第２流路構成部材９０）と、を備え、本体部材３１をその前後幅が流路構成部材における遊技球流路８３，９３の前後幅よりも大きくなるように後方側に膨出形成するとともに複数種の遊技機で共通的に使用可能に構成し、一方、流路構成部材を遊技機別に選択的に交換可能に構成している。
【００９２】
したがって、裏面構成部材３０が後方に膨出した形状となり、電気的制御装置を取付作業などに支障が生ずるほど前方に取り付けなくても裏面構成部材３０と電気的制御装置との間の隙間を無くすことができ、その隙間に不正部材が取り付けられることを防止できる。
また、裏面構成部材３０は、ベースとなる本体部材３１を各機種で共通に使用できるようにして、比較的小型の流路構成部材だけを機種毎に交換できるように構成したので、流路構成部材だけを機種に応じて設計変更すればよく、その製作の手間を省ける。さらに、本体部材３１を大量生産してコストを低減することができる上、流路構成部材の小型化により成型用金型を小型化することができる。
【００９３】
また、流路構成部材（第１流路構成部材８０、第２流路構成部材９０）には、異なる入賞領域から入賞した遊技球を個別に流下案内する複数の遊技球流路８３，９３が形成され、本体部材３１における流路構成部材を収納する収納部（第１収納部３３、第２収納部３４）は、複数の遊技球流路にかかわらず均等に膨出している。
【００９４】
したがって、流路構成部材には、異なる入賞領域から入賞した遊技球を個別に流下案内する複数の遊技球流路８３，９３が形成され、本体部材３１における流路構成部材を収納する収納部は、複数の遊技球流路にかかわらず均等に膨出したので、不正部材の取り付けを困難にすることができる。すなわち、複数の遊技球流路８３，９３毎に収納部を形成すると、本体部材３１の背面には各流路間で凹凸が形成され、その凹部に不正部材を取り付けられてしまう可能性があるが、その部分を均等に膨出形成することで、不正部材を取り付けるスペースを無くすことができる。
【００９５】
また、裏面構成部材３０の背面に、中継基板を取り付けるための中継基板取付部材（第１中継基板取付部材１００、第２中継基板取付部材１１０）を配設し、中継基板取付部材は、中継基板を取り付けるための取付面１０３ａ，１１３ａを裏面構成部材３０の背面から後方側に所定距離を有する位置に設定している。
【００９６】
したがって、裏面構成部材３０の背面に中継基板を取り付けるための中継基板取付部材を配設したので、中継基板を備えることにより裏面構成部材３０と電気的制御装置との間の隙間を更に無くすことが可能となる。
また、中継基板取付部材は、中継基板を取り付けるための取付面１０３ａ，１１３ａを裏面構成部材３０の背面から後方側に所定距離を有する位置に設定したので、中継基板取付部材の前後方向の厚さを増やすことができ、さらに隙間を無くすことができる。
【００９７】
また、流路構成部材（第１流路構成部材８０、第２流路構成部材９０）は、異なる入賞領域から入賞した遊技球を個別に流下案内する複数の遊技球流路８３，９３を形成するとともに、該複数の遊技球流路８３，９３の下流側に当該各遊技球流路８３，９３からの遊技球を集合させて一条の排出部８６，９６から排出する集合流路８５，９５を形成し、排出部８６，９６に遊技球を検出する検出器（遊技球検出センサ）を備える一方、各遊技球流路９３に当該遊技機の検査時において検出器を取り付けるための検出器取付部９９を形成している。
【００９８】
したがって、流路構成部材は、異なる入賞領域から入賞した遊技球を個別に流下案内する複数の遊技球流路８３，９３を形成するようにしたので、複数の流路を機種毎に正確に形成することが可能となる。
また、複数の遊技球流路８３，９３の下流側に各遊技球流路８３，９３からの遊技球を集合させて一条の排出部８６，９６から排出する集合流路８５，９５を形成し、排出部８６，９６に遊技球を検出する検出器を備えるので、各入賞領域に入賞した遊技球の全てを確実に検出することができる。
また、各遊技球流路９３に当該遊技機の検査時において検出器を取り付けるための検出器取付部９９を形成したので、検出器を容易に取り付けることが可能となる。
【００９９】
また、本体部材３１には、遊技盤１に配設された変動入賞装置（普通変動入賞装置７、特別変動入賞装置４）の後方を覆うカバー部３８を更に一段膨出した状態で形成し、カバー部３８の内側に変動入賞装置に入賞した遊技球を流下案内する流路の一部を構成する部分流路構成部材４３を備え、部分流路構成部材４３は、流路の一部を構成する流路構成部４４の後方に当該部分流路構成部材４３とカバー部３８との間の空間を無くす延在部４５を形成している。
【０１００】
したがって、本体部材３１には、遊技盤１に配設された変動入賞装置の後方を覆うカバー部３８を更に一段膨出した状態で形成したので、ピアノ線やセル等を挿入して不正に変動入賞装置を開放する等の不正を防止することができる。
また、カバー部３８の内側に変動入賞装置に入賞した遊技球を流下案内する流路の一部を構成する部分流路構成部材４３を備えたので、カバー部３８が後方に大きく膨出しても変動入賞装置に入賞した遊技球を確実に所定箇所に案内することが可能となる。
また、部分流路構成部材４３は、流路の一部を構成する流路構成部４４の後方に当該部分流路構成部材４３とカバー部３８との間の空間を無くす延在部４５を形成したので、カバー部３８の内部に隙間が形成されてしまうことを防止でき、この部分に不正部材を隠すことを防止できる。
【０１０１】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１０２】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０３】
【図１】本発明を適用した一実施の形態の構成を示す遊技盤の正面図である。
【図２】遊技盤の裏面側を示す斜視図である。
【図３】上部裏面構成部材を取り外した状態の遊技盤の裏面側を示す斜視図である。
【図４】上部裏面構成部材および裏面構成部材の前面側を示す斜視図である。
【図５】裏面構成部材および特別変動入賞装置の前面側を示す斜視図である。
【図６】裏面構成部材の前面側を示す分解斜視図である。
【図７】裏面構成部材の裏面側を示す斜視図である。
【図８】裏面構成部材の裏面側を示す分解斜視図である。
【符号の説明】
【０１０４】
１        遊技盤
４        特別変動入賞装置（入賞領域、変動入賞装置）
７        普通変動入賞装置（入賞領域、変動入賞装置）
８        一般入賞口（入賞領域）
１６      第１始動入賞口（入賞領域）
１９      遊技制御装置（電気的制御装置）
３０      裏面構成部材
３１      本体部材
３３      第１収納部（収納部）
３４      第２収納部（収納部）
３８      カバー部
４３      部分流路構成部材
４４      流路構成部
４５      延在部
８０      第１流路構成部材（流路構成部材）
８３      遊技球流路
８５      集合流路
８６      排出部
９０      第２流路構成部材（流路構成部材）
９３      遊技球流路
９５      集合流路
９６      排出部
９９      検出器取付部
１００  第１中継基板取付部材（中継基板取付部材）
１０３ａ  取付面
１１０    第１中継基板取付部材（中継基板取付部材）
１１３ａ  取付面
【図１】
0004521374.tif 000002
【図２】
0004521374.tif 000003
【図３】
0004521374.tif 000004
【図４】
0004521374.tif 000005
【図５】
0004521374.tif 000006
【図６】
0004521374.tif 000007
【図７】
0004521374.tif 000008
【図８】
0004521374.tif 000009